(57)【要約】【課題】極めて速く尿を吸収することができると共に、使用し始めから交換時までにおいて尿の吸収跡が残らない、尿吸収トイレマットを得る。【解決手段】合成樹脂、ゴム、発泡合成樹脂、発泡ゴム、ビニール、木材、合成木材、石材、人工石材などの素材で形成されたトイレマットであって、その表面においては便器前方に近い方の端部に珪藻土の原石を小石状に加工した尿吸収石を敷設し、裏面においては必要に応じて滑り止め材を貼設して構成する。【選択図】図１
0003227086.tif 000002
【実用新案登録請求の範囲】
【請求項１】
合成樹脂、ゴム、発泡合成樹脂、発泡ゴム、ビニール、木材、合成木材、石材、人工石材などの素材で形成されたトイレマットであって、その表面においては便器前方に近い方の端部に珪藻土の原石を小石状に加工した尿吸収石を敷設し、裏面においては必要に応じて滑り止め材を貼設して構成することを特徴とする、尿吸収トイレマット。
【考案の詳細な説明】
【技術分野】
【０００１】  本考案は、トイレ用のマットに関し、特に男性の放尿時及び放尿後に便器の外に垂れた尿を吸収して便器周辺を衛生的に保つことができる、尿吸収トイレマットに関するものである。
【背景技術】
【０００２】  男性が小便の用を足す場合、洋式便器や小便器などを利用している。該便器内に向かって放尿する際、放尿時及び放尿後において便器の外、詳しくは便器手前の半円部分の外側に尿が垂れることが多々ある。【０００３】  便器の外に垂れた尿は、一般家庭のトイレにおいてはトイレットペーパーや雑巾などで容易に拭き取ることができるが、垂らした本人はこまめに拭き取ることもせずにそのまま放置している場合が多く、不衛生であると共に悪臭も発生していた。また、多くの人が利用する公共施設などのトイレにおいては一般家庭のトイレよりもさらに多量の尿が垂れることが多く、施設側などで定期的にトイレ掃除を行うものの、掃除直後から次のトイレ掃除までの間は、上記と同様に垂れた状態となるため、不衛生であると共に悪臭も発生していた。【０００４】  上記問題点を解決するため、粉砕パルプや吸水性高分子ポリマーなどを素材とした尿吸収シートを配設した尿吸収トイレマットが種々提案されている。また、本願出願人においても実用新案登録第３２２０１９１号公報の考案の名称「尿吸収トイレマット」にて、合成樹脂、ゴム、発泡合成樹脂、発泡ゴム、ビニール、木材、合成木材、人工石材などの素材のうち少なくとも１種類以上で形成されたトイレマットの表面の便器前方に近い方の端部に、珪藻土を原料とした尿吸収板を埋設し、裏面には滑り止め材を貼設して構成した尿吸収トイレマットを提案した。
【先行技術文献】
【特許文献】
【０００５】
【特許文献１】実用新案登録第３２２０１９１号
【考案の概要】
【考案が解決しようとする課題】
【０００６】  しかしながら、上記特許文献１に記載の尿吸収トイレマットに使用している尿吸収板は、珪藻土を原料とした厚さ１ｃｍ程度の板状のものであり、ある程度の大きさを有する場合には強度を持たせるために焼成加工を施している。該焼成加工を施した尿吸収板は、珪藻土の粒子同士が密に結合するために未焼成または焼成の緩いものに比べて尿の吸収が悪くなり、従来の粉砕パルプや吸水性高分子ポリマーなどを素材とした尿吸収シートに比べれば吸収のスピードは速いものの、十分に速いスピードとは言い難かった。また、使用し始めの頃は尿の吸収跡は残らないものの、ある程度使用すると尿の吸収跡が消えずに残ってしまい、見た目も悪かった。【０００７】  本考案は、上記問題点を解決するために成されたものであり、従来の珪藻土を原料とした尿吸収板を使用した尿吸収トイレマットに比べ、極めて速く尿を吸収することができると共に、使用し始めから交換時までにおいて尿の吸収跡が残らない、尿吸収トイレマットを提供することを目的とする。
【課題を解決するための手段】
【０００８】  上記課題を解決するため本考案の尿吸収トイレマットは、合成樹脂、ゴム、発泡合成樹脂、発泡ゴム、ビニール、木材、合成木材、石材、人工石材などの素材で形成されたトイレマットであって、その表面においては便器前方に近い方の端部に珪藻土の原石を小石状に加工した尿吸収石を敷設し、裏面においては必要に応じて滑り止め材を貼設して構成する。
【考案の効果】
【０００９】  本考案の尿吸収トイレマットは、尿吸収石が珪藻土の原石を小石状に加工したもので当該珪藻土の粒子同士の結合が密ではなく、更には尿吸収石同士に隙間が生じるため、極めて速く尿を吸収することができるという効果を奏する。また尿吸収石が自然の原石を加工したものであるため、石目模様が装飾的に表れて尿の吸収跡も残らないという効果も奏する。
【図面の簡単な説明】
【００１０】
【図１】本考案の尿吸収トイレマットの一実施例の平面図である。
【図２】本考案の尿吸収トイレマットの一実施例の底面図である。
【図３】本考案の尿吸収トイレマットを便器に配置した状態の平面図である。
【図４】図１におけるＡ−Ａ断面図である。
【図５】本考案の尿吸収トイレマットの他の実施例の平面図である。
【考案を実施するための形態】
【００１１】  本考案を実施するための形態を図を用いて説明する。図１及び図４に示すように、本考案の尿吸収トイレマット１は、合成樹脂、ゴム、発泡合成樹脂、発泡ゴム、ビニール、木材、合成木材、石材、人工石材などの素材で形成されたマット部２において、その表面においては便器前方に近い方の端部すなわち便器の台座部に配設する凹部４に近い部分に溝部３を削成し、該溝部３内に珪藻土の原石を小石状に加工した尿吸収石５を多少重なり合うようにして一面に敷設する。該溝部３の形状は図では角を丸くした方形状であるが、どのような形状であっても構わない。なお、溝部３内に受け皿１０を配設しておけば、溝部３内を傷つけることなく尿吸収石５を取り出す際にも容易に行えて好適である。また、尿吸収石５同士を接着剤で接着して一体化した構成とすれば、敷設や取り出しが更に容易に行えて好適である。
【００１２】  上記尿吸収石５の手前中央にある切欠部６は、溝部３内に配設した受け皿１０や尿吸収石５同士を接着剤で接着して一体化した尿吸収石５を、マット部２の溝部３への出し入れが容易に行えるよう指を入れるためのものである。
【００１３】  上記マット部２が木材や合成木材の場合には、防水性を持たせるためにコーティング処理を行っても構わない。また、マット部２の表面に模様などを印刷したりタイルを貼るなどして装飾性を持たせても構わない。
【００１４】  珪藻土は、藻類の一種である珪藻の殻の化石よりなる堆積物（堆積岩）であり、多孔質で水分などの液体を大量に吸収して保持することができる性質を持つものである。産地は秋田、石川、大分など全国各地にあるが特に北海道の稚内地方で産出される稚内珪藻土（稚内珪藻頁岩）が好適である。
【００１５】  また図２に示すように、尿吸収トイレマット１の底面においては必要に応じて滑り止め材７を貼設する。該滑り止め材７は、ゴム又は発泡ゴムが好適であるが特に限定するものではない。また、滑り止め材７の大きさや貼設する位置なども特に限定するものではない。なお、前記尿吸収トイレマット１の素材がゴムなどそれ自体で滑り止め効果がある場合は、滑り止め材７を貼設しなくても構わない。
【００１６】  尿吸収トイレマット１のマット部２の形状は特に限定することなく、便器の形状に適合した形状として構わない。図５の（ａ）は男性用小便器に多くある便器底部の形状が三角形のタイプに適合するよう、凹部４が三角形状となっている。また、（ｂ）は便器が壁に取り付けられている場合などで便器の底部が床に接していないタイプに適合するよう凹部４は設けられていない。
【００１７】  次に図３に示すように、本考案の尿吸収トイレマット１を使用する場合、便器８が設置されている床に当該尿吸収トイレマット１の凹部４が便器８の底部に接するように敷く。該状態において便器８の前方側の端部９は平面的に尿吸収石５と重なり合って配置される。
【００１８】  ここで男性が小便の用を足した場合、放尿時及び放尿後において便器８の外、詳しくは便器８の前方側の端部９の外側に配置されている尿吸収石５の上に尿を垂らすと、尿は当該尿吸収石５により速やかに（実際の計測で５秒ほど）跡形もなく吸収される。更には珪藻土の消臭効果と相乗して悪臭の発生を防止することができる。
【００１９】  また、尿を吸収した尿吸収石５は洗剤で洗った後に乾燥させることで何度も使用することができるため、粉砕パルプや吸水性高分子ポリマーなどを素材とした尿吸収シートのように廃棄処分することなく継続的に使用することができ、経費を抑えると共に環境にも優しくなる。
【符号の説明】
【００２０】  １  尿吸収トイレマット
２  マット部
３  溝部
４  凹部
５  尿吸収石
６  切欠部
７  滑り止め材
８  便器
９  端部
１０  受け皿
【図１】
0003227086.tif 000003
【図２】
0003227086.tif 000004
【図３】
0003227086.tif 000005
【図４】
0003227086.tif 000006
【図５】
0003227086.tif 000007
【手続補正書】
【提出日】令和2年4月8日(2020.4.8)
【手続補正１】
【補正対象書類名】実用新案登録請求の範囲
【補正対象項目名】請求項１
【補正方法】変更
【補正の内容】
【請求項１】
合成樹脂、ゴム、発泡合成樹脂、発泡ゴム、ビニール、木材、合成木材、石材、人工石材などの素材のうち少なくとも１種類以上で形成されたトイレマットであって、その表面においては便器前方に近い方の端部に珪藻土の原石を小石状に加工した尿吸収石を敷設し、裏面においては前記素材とトイレマットを敷く床との摩擦が少なくずれ易い場合に滑り止め材を貼設して構成することを特徴とする、尿吸収トイレマット。
【手続補正２】
【補正対象書類名】明細書
【補正対象項目名】０００８
【補正方法】変更
【補正の内容】
【０００８】  上記課題を解決するため本考案の尿吸収トイレマットは、合成樹脂、ゴム、発泡合成樹脂、発泡ゴム、ビニール、木材、合成木材、石材、人工石材などの素材のうち少なくとも１種類以上で形成されたトイレマットであって、その表面においては便器前方に近い方の端部に珪藻土の原石を小石状に加工した尿吸収石を敷設し、裏面においては前記素材とトイレマットを敷く床との摩擦が少なくずれ易い場合に滑り止め材を貼設して構成する。
【手続補正３】
【補正対象書類名】明細書
【補正対象項目名】００１１
【補正方法】変更
【補正の内容】
【００１１】  本考案を実施するための形態を図を用いて説明する。図１及び図４に示すように、本考案の尿吸収トイレマット１は、合成樹脂、ゴム、発泡合成樹脂、発泡ゴム、ビニール、木材、合成木材、石材、人工石材などの素材のうち少なくとも１種類以上で形成されたマット部２において、その表面においては便器前方に近い方の端部すなわち便器の台座部に配設する凹部４に近い部分に溝部３を削成し、該溝部３内に珪藻土の原石を小石状に加工した尿吸収石５を多少重なり合うようにして一面に敷設する。該溝部３の形状は図では角を丸くした方形状であるが、どのような形状であっても構わない。なお、溝部３内に受け皿１０を配設しておけば、溝部３内を傷つけることなく尿吸収石５を取り出す際にも容易に行えて好適である。また、尿吸収石５同士を接着剤で接着して一体化した構成とすれば、敷設や取り出しが更に容易に行えて好適である。
【手続補正４】
【補正対象書類名】明細書
【補正対象項目名】００１５
【補正方法】変更
【補正の内容】
【００１５】  また図２に示すように、尿吸収トイレマット１の底面においては前記素材とトイレマットを敷く床との摩擦が少なくずれ易い場合に滑り止め材７を貼設する。該滑り止め材７は、ゴム又は発泡ゴムが好適であるが特に限定するものではない。また、滑り止め材７の大きさや貼設する位置なども特に限定するものではない。なお、前記尿吸収トイレマット１の素材がゴムなどそれ自体で滑り止め効果がある場合は、滑り止め材７を貼設しなくても構わない。